(57)【要約】【課題】弁体及び弁棒を備えた弁蓋の不断水状態での撤去作業を工事コストの低廉化を図りながら能率良く容易に行う。【解決手段】弁箱２に、ロック部材の抜き差し操作を許容する状態で環状の取付け基材を水密状態で取付ける工程と、取付け基材に設けた押え手段によって弁蓋４を弁箱２に押付けることにより、弁蓋４と弁箱２との間を水密状態に維持する工程と、ロック部材を抜き出して、弁箱２の連結外嵌部２Ａと弁蓋４の連結内嵌部４Ａとの固定連結を解除する工程と、取付け基材に、作業用開閉弁Ｖ２及び弁蓋４に連結される昇降搬送手段Ｄを備えた作業ハウジングＨを水密状態で取付ける工程と、押え手段の押付け固定を解除し、昇降搬送手段Ｄにて弁蓋４を作業ハウジングＨ内に取り出したのち、作業用開閉弁Ｖ２を閉弁操作して弁蓋４を撤去する工程とを備えている。【選択図】図１４
2014029194.tif 000002
【特許請求の範囲】
【請求項１】
流体配管系に接続された弁箱と、この弁箱に嵌合連結される弁蓋と、当該弁蓋に貫設された弁棒を介して弁箱の弁体装着口部から脱着自在に装着される弁体と、前記弁箱と弁蓋との嵌合連結部を構成する弁箱側の連結外嵌部と弁蓋側の連結内嵌部とに対して外方から抜き差し自在なロック部材を有し、且つ、そのロック部材を挿入した係合状態では弁箱と弁蓋とを水密状態で固定連結するロック手段とを備えた仕切弁のうち、前記弁体及び弁棒を備えた弁蓋を不断水状態で弁箱から撤去する仕切弁の弁蓋撤去工法であって、
前記弁箱に、前記ロック部材の抜き差し操作を許容する状態で環状の取付け基材を水密状態で取付ける工程と、
この取付け基材に設けた押え手段によって前記弁蓋を前記弁箱に対して押付けることにより、当該弁蓋の連結内嵌部と弁箱の連結外嵌部との間を水密状態に維持する工程と、
前記ロック手段のロック部材を抜き出して、前記弁箱の連結外嵌部と弁蓋の連結内嵌部との固定連結を解除する工程と、
前記取付け基材に、作業用開閉弁及び前記弁蓋に連結される昇降搬送手段を備えた作業ハウジングを水密状態で取付ける工程と、
前記押え手段の押付け固定を解除し、前記昇降搬送手段にて弁蓋を作業ハウジングの格納空間内に取り出したのち、前記作業用開閉弁を閉弁操作する工程と、
前記作業ハウジングの格納空間内に取り出された弁蓋を撤去する工程と、
を備えている仕切弁の弁蓋撤去工法。
【請求項２】
前記押え手段が、前記弁蓋に脱着自在に装着された押え部材を介して前記弁蓋を前記弁箱に押付けるように構成されている請求項１記載の仕切弁の弁蓋撤去工法。
【請求項３】
前記取付け基材が、前記弁箱における前記ロック部材の抜き差し操作位置よりも下方側部位に突出形成された突起部に挾持固定されている請求項１又は２記載の仕切弁の弁蓋撤去工法。
【請求項４】
前記取付け基材が、前記弁箱における前記ロック部材の抜き差し操作位置よりも下方側部位に水密状態で取付けられる取付けベース部と、当該取付けベース部に水密状態で取付けられる少なくとも前記弁蓋の一部を囲繞する環状取付け枠とからなり、前記押え手段による押付け工程が、前記環状取付け枠の取付け前において、前記取付けベース部における前記環状取付け枠の内部空間相当領域に設けた第１押え治具で前記弁蓋を弁箱側に押付け固定する工程と、前記環状取付け枠の取付け後において、当該環状取付け枠に設けた外部から操作可能な第２押え治具で前記弁蓋を弁箱側に押付け固定する工程とから構成されている請求項１〜３のいずれか１項に記載の仕切弁の弁蓋撤去工法。
【請求項５】
前記弁蓋の撤去工程後において、
作業ハウジングに設けた昇降搬送手段に、少なくとも新たな弁体が装備された別の弁蓋を連結する工程と、
前記作業用開閉弁を開弁操作して、前記作業ハウジングの格納空間内にある別の弁蓋を前記昇降搬送手段にて弁箱側に下降し、この別の弁蓋の連結内嵌部を弁箱の連結外嵌部に嵌合接続する工程と、
嵌合接続された別の弁蓋の連結内嵌部と弁箱の連結外嵌部とを前記ロック手段のロック部材で固定連結する工程と、
が備えられている請求項１〜４のいずれか１項に記載の仕切弁の弁蓋撤去工法。
【請求項６】
前記弁蓋の撤去工程後において、
作業ハウジングに設けた昇降搬送手段に、弁箱の弁体装着口部を水密状態で閉止する蓋体を連結する工程と、
前記作業用開閉弁を開弁操作して、前記作業ハウジングの格納空間内にある前記蓋体を前記昇降搬送手段にて弁箱側に下降し、蓋体の連結内嵌部を弁箱の連結外嵌部に嵌合接続する工程と、
嵌合接続された蓋体の連結内嵌部と弁箱の連結外嵌部とを前記ロック手段のロック部材で固定連結する工程と、
が備えられている請求項１〜４のいずれか１項に記載の仕切弁の弁蓋撤去工法。
【請求項７】
前記弁蓋の撤去工程後において、
前記作業ハウジングに設けた昇降搬送手段に、補修弁と、弁箱の連結外嵌部に嵌合接続可能な連結内嵌部を備えた弁取付け部材との組み物を連結する工程と、
前記作業用開閉弁を開弁操作して、前記作業ハウジングの格納空間内にある組み物を前記昇降搬送手段にて弁箱側に下降し、弁取付け部材の連結内嵌部を弁箱の連結外嵌部に嵌合接続する工程と、
嵌合接続された弁取付け部材の連結内嵌部と弁箱の連結外嵌部とを前記ロック手段のロック部材で固定連結する工程と、
が備えられている請求項１〜４のいずれか１項に記載の仕切弁の弁蓋撤去工法。
【請求項８】
流体配管系に接続される弁箱と、この弁箱に嵌合連結される弁蓋と、当該弁蓋に貫設された弁棒を介して弁箱の弁体装着口部から脱着自在に装着される弁体とが備えられている仕切弁であって、
前記弁箱と弁蓋との嵌合連結部には、この嵌合連結部を構成する弁箱側の連結外嵌部と弁蓋側の連結内嵌部とに対して外方から抜き差し自在なロック部材を有し、且つ、そのロック部材を挿入した係合状態では弁箱と弁蓋とを水密状態で固定連結するロック手段が設けられているとともに、前記弁箱における前記ロック部材の抜き差し操作位置よりも下方側に偏倚した部位には、環状の取付け基材を取付け可能な突起部が一体形成されている仕切弁。
【発明の詳細な説明】
【技術分野】
【０００１】
本発明は、流体配管系に接続されている仕切弁のうち、弁箱に比して寿命の短い弁体が設定耐久年数に至ったとき、或いは、弁体の作動不良が発生したときなど、この弁体及び弁棒を備えた弁蓋を不断水状態で弁箱から撤去する仕切弁の弁蓋撤去工法、及び、それに用いられる仕切弁の改良技術に関する。
【背景技術】
【０００２】
流体配管系に接続される仕切弁としては、一般に、弁箱の弁体装着口部に形成されているフランジと弁蓋に形成されているフランジとをボルト・ナットで水密状態に締付け固定してある仕切弁が用いられている。
【０００３】
このような一般的な仕切弁を用いた弁蓋撤去工法として、従来では、
仕切弁の弁箱に連通接続されている上流側及び下流側の両流体管に、当該両流体管の一部を含む状態で仕切弁の略全体を囲繞する分割構造の下部ハウジングを水密状態で取付ける工程、
下部ハウジングに設けたフランジ挾持装置により、弁箱のフランジと弁蓋のフランジとを外方から挟み込み固定して両フランジ間を水密状態に維持する工程、
弁箱のフランジと弁蓋のフランジとを締付け固定しているボルト・ナットを取り外す工程、
仕切弁の弁棒の上端部に、上部ハウジングに装備される昇降搬送装置の昇降軸を構成する複数の分割昇降軸部のうち、下方側の分割昇降軸部の下端部を連結する工程、
下部ハウジングの上側開口部のフランジに、作業用開閉弁の下側フランジをボルト・ナットで水密状態に固定連結する工程、
上部ハウジングに装備されている昇降搬送装置の上方側の分割昇降軸部を、仕切弁の弁棒に連結されている下方側の分割昇降軸部に連結するとともに、作業用開閉弁の上側フランジに、上部ハウジングの下側フランジをボルト・ナットで水密状態に固定連結する工程、
フランジ挾持装置による弁箱のフランジと弁蓋のフランジとの挟み込み固定を解除したのち、昇降搬送装置の昇降軸を上昇操作して、弁体及び弁棒を備えた弁蓋を上部ハウジングの格納空間内に取り出し、作業用開閉弁を閉弁操作する工程、
上部ハウジングの格納空間内に取り出された弁蓋を撤去する工程、
上記工程を備えた弁蓋撤去工法が提案されている（例えば、特許文献１参照）。
【先行技術文献】
【特許文献】
【０００４】
【特許文献１】特開２００７−１７７９４５
【発明の概要】
【発明が解決しようとする課題】
【０００５】
従来の仕切弁の弁蓋撤去工法では、両流体管の一部を含む状態で仕切弁の略全体を囲繞するための大きな分割構造の下部ハウジングが必要で、しかも、これに伴って作業ピットの掘削容積も大きくなるため、工事が大掛かりになり、工事コストが高騰する不都合がある。
【０００６】
さらに、弁箱のフランジと弁蓋のフランジとが多数のボルト・ナットで締付け固定されており、しかも、この多数のボルト・ナットの取り外し作業を下部ハウジング内の制限されたスペース内において行う必要があるため、弁箱のフランジと弁蓋のフランジとの連結解除に多大の手間を要する不都合がある。
【０００７】
本発明は、上述の実状に鑑みて為されたものであって、その主たる課題は、弁体及び弁棒を備えた弁蓋の不断水状態での撤去作業を工事コストの低廉化を図りながら能率良く容易に行うことのできる仕切弁の弁蓋撤去工法、及び、その撤去作業の能率化、容易化に貢献する仕切弁を提供する点にある。
【課題を解決するための手段】
【０００８】
本発明による第１の特徴構成は、流体配管系に接続された弁箱と、この弁箱に嵌合連結される弁蓋と、当該弁蓋に貫設された弁棒を介して弁箱の弁体装着口部から脱着自在に装着される弁体と、前記弁箱と弁蓋との嵌合連結部を構成する弁箱側の連結外嵌部と弁蓋側の連結内嵌部とに対して外方から抜き差し自在なロック部材を有し、且つ、そのロック部材を挿入した係合状態では弁箱と弁蓋とを水密状態で固定連結するロック手段とを備えた仕切弁のうち、前記弁体及び弁棒を備えた弁蓋を不断水状態で弁箱から撤去する仕切弁の弁蓋撤去工法であって、
前記弁箱に、前記ロック部材の抜き差し操作を許容する状態で環状の取付け基材を水密状態で取付ける工程と、
この取付け基材に設けた押え手段によって前記弁蓋を前記弁箱に対して押付けることにより、当該弁蓋の連結内嵌部と弁箱の連結外嵌部との間を水密状態に維持する工程と、
前記ロック手段のロック部材を抜き出して、前記弁箱の連結外嵌部と弁蓋の連結内嵌部との固定連結を解除する工程と、
前記取付け基材に、作業用開閉弁及び前記弁蓋に連結される昇降搬送手段を備えた作業ハウジングを水密状態で取付ける工程と、
前記押え手段の押付け固定を解除し、前記昇降搬送手段にて弁蓋を作業ハウジングの格納空間内に取り出したのち、前記作業用開閉弁を閉弁操作する工程と、
前記作業ハウジングの格納空間内に取り出された弁蓋を撤去する工程と、
を備えている点にある。
【０００９】
上記構成によれば、流体配管系に接続された仕切弁には、弁箱側の連結外嵌部と弁蓋側の連結内嵌部とに対して外方から抜き差し自在なロック部材を有し、且つ、そのロック部材を挿入した係合状態では弁箱と弁蓋とを水密状態に固定連結するロック手段が備えられているので、弁箱と弁蓋との固定連結を解除する場合でも、ロック部材を引き抜き操作するだけで済み、弁箱と弁蓋とが多数のボルト・ナットで締付け固定されている従来の仕切弁に比して、弁蓋の固定連結解除作業を能率良く容易に行うことができる。
【００１０】
しかも、設定耐久年数に至った弁体、或いは、作動不良が発生した弁体等を備えた弁蓋を撤去する場合には、先ず、弁箱に、ロック部材の抜き差し操作を許容する状態で環状の取付け基材を水密状態で取付け、この取付け基材に、作業用開閉弁及び前記弁蓋に連結される昇降搬送手段を備えた作業ハウジングを水密状態で取付けるので、両流体管の一部を含む状態で仕切弁の略全体を囲繞する分割構造の下部ハウジングを用いる従来工法に比して、仕切弁の下部側及び両流体管の一部の囲繞に要していたハウジングの削減を図ることができるとともに、それに伴って作業ピットの掘削容積も減少することができる。
【００１１】
さらに、弁箱に環状の取付け基材を取り付けた状態においても、ロック部材の抜き差し操作を行うことが可能であるとともに、このロック部材の抜き差し操作時には、取付け基材に設けた押え手段によって弁蓋が弁箱に押付けられて、この弁蓋の連結内嵌部と弁箱の連結外嵌部との間が水密状態に維持されているので、水密状態に維持するための反力がロック部材の抜き差し操作抵抗として作用することを無くす又は軽減することができ、ロック部材の抜き差し操作を軽い力で容易に行うことができる。
【００１２】
また、押え手段による弁蓋の押付け固定を解除操作する場合には、弁蓋に連結されている作業ハウジング側の昇降搬送手段にて弁蓋側に作用する水圧を受止め支持させることができるので、押え手段の押付け固定解除操作を軽い力で容易に行うことができる。
【００１３】
したがって、弁体及び弁棒を備えた弁蓋の不断水状態での撤去作業を工事コストの低廉化を図りながら能率良く容易に行うことができる。
【００１４】
本発明による第２の特徴構成は、前記押え手段が、前記弁蓋に脱着自在に装着された押え部材を介して弁蓋を前記弁箱に押付けるように構成されている点にある。
【００１５】
上記構成によれば、弁蓋の上面に存在する構成部材に邪魔されることなく、弁蓋に装着された押え部材を介して弁蓋を弁箱に確実、容易に押付け固定することができるとともに、押え手段の簡素化を図ることができる。
【００１６】
本発明による第３の特徴構成は、前記取付け基材が、前記弁箱における前記ロック部材の抜き差し操作位置よりも下方側部位に突出形成された突起部に挾持固定されている点にある。
【００１７】
上記構成によれば、弁箱の突起部に挾持固定された取付け基材には、作業用開閉弁及び昇降搬送手段を備えた作業ハウジングの荷重と昇降搬送手段で取り出される弁蓋の荷重が作用するが、この大きな荷重を頑丈な弁箱の突起部に確実に受止め支持させることができる。
【００１８】
しかも、弁箱の突起部はロック部材の抜き差し操作位置よりも下方側部位に突出形成され、且つ、この突起部に挾持固定される取付け基材は、そもそもロック部材の抜き差し操作を許容するように構成されているため、ロック部材の抜き差し操作を容易に行うことができる。
【００１９】
それ故に、取付け基材が弁箱の平滑な外面に挾持状態で締付け固定されている場合のように、取付け基材が弁箱の外面に沿ってずり落ちないように支えるための荷重支持装置を別途設ける必要がなく、ロック部材の抜き差し操作の容易化を維持しながら工事費の低減化を促進することができるとともに、施工現場での組付け作業の容易化、能率化を図ることができる。
【００２０】
本発明による第４の特徴構成は、前記取付け基材が、前記弁箱における前記ロック部材の抜き差し操作位置よりも下方側部位に水密状態で取付けられる取付けベース部と、当該取付けベース部に水密状態で取付けられる少なくとも前記弁蓋の一部を囲繞する環状取付け枠とからなり、前記押え手段による押付け工程が、前記環状取付け枠の取付け前において、前記取付けベース部における前記環状取付け枠の内部空間相当領域に設けた第１押え治具で前記弁蓋を弁箱側に押付け固定する工程と、前記環状取付け枠の取付け後において、当該環状取付け枠に設けた外部から操作可能な第２押え治具で前記弁蓋を弁箱側に押付け固定する工程とから構成されている点にある。
【００２１】
上記構成によれば、前記取付け基材を取付けベース部と環状取付け枠とから構成し、前記押え手段も第１押え治具と第２押え治具とから構成して、弁箱に取付けベース部のみが取付けられた状態では、この取付けベース部はロック部材の抜き差し操作位置よりも下方側部位にあるから、ロック部材の抜き差し操作の邪魔にならない状態で、取付けベース部に設けた第１押え治具で弁蓋を弁箱側に押付け固定することができる。
【００２２】
しかも、第１押え治具は環状取付け枠の内部空間相当領域に配置されているから、少なくとも弁蓋の一部を囲繞する環状取付け枠を取付けベース部に取付ける場合でも、第１押え治具に邪魔されることなく環状取付け枠を確実・容易に取付けることができる。
【００２３】
さらに、環状取付け枠の取付け後においては、当該環状取付け枠に設けた外部から操作可能な第２押え治具で弁蓋を弁箱側に押付け固定するので、環状取付け枠の上部開口から第１押え治具の押付け固定解除操作を容易に行うことができるとともに、取付け基材に作業ハウジングが取付けられた状態では、第２押え治具の押付け固定解除操作を環状取付け枠の外部から容易に行うことができる。
【００２４】
本発明による第５の特徴構成は、前記弁蓋の撤去工程後において、
作業ハウジングに設けた昇降搬送手段に、少なくとも新たな弁体が装備された別の弁蓋を連結する工程と、
前記作業用開閉弁を開弁操作して、前記作業ハウジングの格納空間内にある別の弁蓋を前記昇降搬送手段にて弁箱側に下降し、この別の弁蓋の連結内嵌部を弁箱の連結外嵌部に嵌合接続する工程と、
嵌合接続された別の弁蓋の連結内嵌部と弁箱の連結外嵌部とを前記ロック手段のロック部材で固定連結する工程と、
が備えられている点にある。
【００２５】
上記構成によれば、少なくとも新たな弁体が装備された別の弁蓋の連結内嵌部を弁箱の連結外嵌部に嵌合接続して、ロック手段のロック部材の差し込み操作で別の弁蓋の連結内嵌部と弁箱の連結外嵌部とを固定連結することにより、設定耐久年数に至った弁体、或いは、作動不良が発生した弁体等を備えていた仕切弁を工事費の低減化を図りながら能率良く更生することができる。
【００２６】
尚、作業ハウジングの昇降搬送手段に連結されている別の弁蓋を下降操作し、それの連結内嵌部を弁箱の連結外嵌部に嵌合接続した以降においては、上述の第１特徴構成での工程を逆の順序で実行して、嵌合接続されている別の弁蓋の連結内嵌部と弁箱の連結外嵌部とにわたってロック手段のロック部材を差し込み操作してもよいが、昇降搬送手段で別の弁蓋を弁箱に水密状態に押付け固定することができ、且つ、取付け基材に、それの外部側からロック部材を差し込み操作することのできる作業窓や作業アーム等が装備されている場合には、上述の第１特徴構成での工程を逆の順序で実行することなく、昇降搬送手段で別の弁蓋を弁箱に水密状態に押付け固定した時点で、嵌合接続されている弁蓋の連結内嵌部と弁箱の連結外嵌部とをロック部材で固定連結することができる。
【００２７】
本発明による第６の特徴構成は、前記弁蓋の撤去工程後において、
作業ハウジングに設けた昇降搬送手段に、弁箱の弁体装着口部を水密状態で閉止する蓋体を連結する工程と、
前記作業用開閉弁を開弁操作して、前記作業ハウジングの格納空間内にある前記蓋体を前記昇降搬送手段にて弁箱側に下降し、蓋体の連結内嵌部を弁箱の連結外嵌部に嵌合接続する工程と、
嵌合接続された蓋体の連結内嵌部と弁箱の連結外嵌部とを前記ロック手段のロック部材で固定連結する工程と、
が備えられている点にある。
【００２８】
上記構成によれば、弁箱の弁体装着口部を水密状態で閉止する蓋体の連結内嵌部を弁箱の連結外嵌部に嵌合接続して、ロック手段のロック部材の差し込み操作で蓋体の連結内嵌部と弁箱の連結外嵌部とを固定連結することにより、弁箱の弁体装着口部を能率良く確実に閉塞して、耐久性に優れた弁箱のみを管路の一部としてそのまま使用し続けることができる。
【００２９】
尚、作業ハウジングの昇降搬送手段に連結されている蓋体の連結内嵌部を下降操作して弁箱の連結外嵌部に嵌合接続した以降においては、上述の第１特徴構成での工程を逆の順序で実行して、嵌合接続されている蓋体の連結内嵌部と弁箱の連結外嵌部とにわたってロック手段のロック部材を差し込み操作してもよいが、昇降搬送手段で蓋体を弁箱に水密状態に押付け固定することができ、且つ、取付け基材に、それの外部側からロック部材を差し込み操作することのできる作業窓や作業アーム等が装備されている場合には、上述の第１特徴構成での工程を逆の順序で実行することなく、昇降搬送手段で蓋体を弁箱に水密状態に押付け固定した時点で、嵌合接続されている蓋体の連結内嵌部と弁箱の連結外嵌部とをロック部材で固定連結することができる。
【００３０】
本発明による第７の特徴構成は、前記弁蓋の撤去工程後において、
前記作業ハウジングに設けた昇降搬送手段に、補修弁と、弁箱の連結外嵌部に嵌合接続可能な連結内嵌部を備えた弁取付け部材との組み物を連結する工程と、
前記作業用開閉弁を開弁操作して、前記作業ハウジングの格納空間内にある組み物を前記昇降搬送手段にて弁箱側に下降し、弁取付け部材の連結内嵌部を弁箱の連結外嵌部に嵌合接続する工程と、
嵌合接続された弁取付け部材の連結内嵌部と弁箱の連結外嵌部とを前記ロック手段のロック部材で固定連結する工程と、
が備えられている点にある。
【００３１】
上記構成によれば、補修弁と、連結内嵌部を備えた弁取付け部材との組み物のうち、弁取付け部材の連結内嵌部を弁箱の連結外嵌部に嵌合接続して、ロック手段のロック部材の差し込み操作で弁取付け部材の連結内嵌部と弁箱の連結外嵌部とを固定連結することとにより、仕切弁の弁箱をそのまま使用して機能の異なる補修弁として能率良く且つ工事費の低廉化を図りながら再生することができる。
【００３２】
尚、作業ハウジングの昇降搬送手段に連結されている補修弁と弁取付け部材との組み物を下降操作して、弁取付け部材の連結内嵌部を弁箱の連結外嵌部に嵌合接続した以降においては、上述の第１特徴構成での工程を逆の順序で実行して、嵌合接続されている弁取付け部材の連結内嵌部と弁箱の連結外嵌部とにわたってロック手段のロック部材を差し込み操作してもよいが、昇降搬送手段で弁取付け部材を弁箱に水密状態に押付け固定することができ、且つ、取付け基材に、それの外部側からロック部材を差し込み操作することのできる作業窓や作業アーム等が装備されている場合には、上述の第１特徴構成での工程を逆の順序で実行することなく、昇降搬送手段で弁取付け部材を弁箱に水密状態に押付け固定した時点で、嵌合接続されている弁取付け部材の連結内嵌部と弁箱の連結外嵌部とをロック部材で固定連結することができる。
【００３３】
本発明による第８の特徴構成は、流体配管系に接続される弁箱と、この弁箱に嵌合連結される弁蓋と、当該弁蓋に貫設された弁棒を介して弁箱の弁体装着口部から脱着自在に装着される弁体とが備えられている仕切弁であって、
前記弁箱と弁蓋との嵌合連結部には、この嵌合連結部を構成する弁箱側の連結外嵌部と弁蓋側の連結内嵌部とに対して外方から抜き差し自在なロック部材を有し、且つ、そのロック部材を挿入した係合状態では弁箱と弁蓋とを水密状態で固定連結するロック手段が設けられているとともに、前記弁箱における前記ロック部材の抜き差し操作位置よりも下方側に偏倚した部位には、環状の取付け基材を取付け可能な突起部が一体形成されている点にある。
【００３４】
上記構成によれば、流体配管系に接続される仕切弁には、弁箱側の連結外嵌部と弁蓋側の連結内嵌部とに対して外方から抜き差し自在なロック部材を有し、且つ、そのロック部材を挿入した係合状態では弁箱と弁蓋とを水密状態に固定連結するロック手段が備えられているので、弁箱と弁蓋との固定連結を解除する場合でも、ロック部材を引き抜き操作するだけで済み、弁箱と弁蓋とが多数のボルト・ナットで締付け固定されている従来の仕切弁に比して、弁蓋の固定連結解除作業を能率良く容易に行うことができる。
【００３５】
しかも、弁箱におけるロック部材の抜き差し操作位置よりも下方側に偏倚した部位には、環状の取付け基材を取付け可能な突起部が一体形成されているので、例えば、弁体及び弁棒を備えた弁蓋を不断水状態で弁箱から撤去する際、弁箱の突起部に挾持固定された取付け基材に、作業用開閉弁及び昇降搬送手段を備えた作業ハウジングの荷重と昇降搬送手段で取り出される弁蓋の荷重が作用しても、この大きな荷重を頑丈な弁箱の突起部に確実に受止め支持させることができる。
【００３６】
しかも、弁箱の突起部はロック部材の抜き差し操作位置よりも下方側部位に突出形成されているので、この突起部に取付け基材を挾持固定しても、ロック部材の抜き差し操作を容易に行うことができる。
【００３７】
それ故に、取付け基材が弁箱の平滑な外面に挾持状態で締付け固定されている場合のように、取付け基材が弁箱の外面に沿ってずり落ちないように支えるための荷重支持装置を別途設ける必要がなく、ロック部材の抜き差し操作の容易化を維持しながら工事費の低減化を促進することができるとともに、施工現場での組付け作業の容易化、能率化を図ることができる。
【図面の簡単な説明】
【００３８】
【図１】本発明の第１実施形態を示す水道配管系の仕切弁の斜視図
【図２】仕切弁の一部切欠正面図
【図３】図２におけるIII-III線での仕切弁の一部切欠平面図
【図４】取付け基材の取付けベース部を組み付けるときの斜視図
【図５】取付けベース部の下側ベース部材を組み付けたときの斜視図
【図６】取付けベース部の上側ベース部材を組み付けたときの斜視図
【図７】押え部材を組み付けるときの斜視図
【図８】取付け基材の取付けベース部を組み付けたときの一部切欠正面図
【図９】押え部材を組み付けたときの一部切欠正面図
【図１０】ロック部材を抜き出し操作したときの一部切欠正面図（ａ）と、それと直交する一部切欠側面図（ｂ）
【図１１】取付け基材の環状取付け枠を組み付けるときの斜視図
【図１２】取付け基材の環状取付け枠を組み付けたときの一部切欠正面図
【図１３】作業ハウジングを組み付けたときの一部切欠正面図
【図１４】弁蓋を作業ハウジングの格納空間に取り出したときの一部切欠正面図
【図１５】作業用開閉弁から作業ハウジングを分離上昇したときの一部切欠正面図
【図１６】本発明の第２実施形態を示す一部切欠正面図
【図１７】本発明の第３実施形態を示す一部切欠正面図
【発明を実施するための形態】
【００３９】
〔第１実施形態〕
図１〜図３は、流体配管系を構成する流体管の一例である水道配管系の水道管１の途中にフランジ接合されている仕切弁Ｖ１を示す。
この仕切弁Ｖ１は、上流側及び下流側の水道管１に接続される側面視略逆Ｔ字状に構成された鋳鉄製の弁箱２と、この弁箱２の上端部に開口形成された弁体装着口部３に対して上方から嵌合接続される鋳鉄製の弁蓋４と、当該弁蓋４に貫設された弁棒５を介して弁箱２の弁体装着口部３から脱着自在に装着されるゴムライニングが施された弁体６と、弁箱２と弁蓋４との嵌合連結部Ａを構成する弁箱２側の連結外嵌部２Ａと弁蓋４側の連結内嵌部４Ａとに対して横外方から抜き差し自在な一対のロック部材７Ａを有し、且つ、そのロック部材７Ａを挿入した係合状態では弁箱２と弁蓋４とを水密状態で固定連結するロック手段７とが備えられている。
【００４０】
弁箱２は、両水道管１の連結フランジ１Ａに第１締結手段１０の一例であるボルト１０Ａ・ナット１０Ｂで水密状態に固定連結される一対の連結フランジ２Ｂを備えた横断面形状が円形の横向き弁箱部２Ｃと、当該横向き弁箱部２Ｃの流路軸芯方向中央部に対して直交する方向で一体形成される横断面形状が略長方形状(隅丸長方形状)の縦向き弁箱部２Ｄとから構成されている。
【００４１】
弁箱２の内面には、弁棒５のネジ軸部に螺合された弁体６を回転不能な状態で流路開放位置（開弁位置）と流路遮断位置（閉弁位置）とに摺動案内する摺動ガイド部２ｅと、弁棒５の上端部に形成されている角軸状の回転操作部５ａの回転操作によって流路遮断位置に移動された弁体６のゴムライニング部６ａと接触する弁座とが形成されている。
【００４２】
また、縦向き弁箱部２Ｄの上端側周壁部をもって、弁体装着口部３を形成する横断面形状が略長方形状(隅丸長方形状)となる環状の連結外嵌部２Ａが一体形成されている。
【００４３】
この連結外嵌部２Ａは、少なくとも弁蓋４の連結内嵌部４Ａとの嵌合深さに相当する弁体装着方向での長さを有するとともに、縦向き弁箱部２Ｄの内周面よりも大径で、且つ、板厚も縦向き弁箱部２Ｄよりも厚肉に構成され、この連結外嵌部２Ａの内周面２ａにおける縦向き弁箱部２Ｄの内周面２ｄとの境界側となる奥側相当部位にシール部構成用の段差部２ｂが形成されている。
【００４４】
連結外嵌部２Ａの外周面におけるロック部材７Ａの抜き差し操作位置よりも下方側に偏倚した下端部位には、後述する環状の取付け基材Ｂを挾持状態で取付け可能な環状の突起部９が、連結外嵌部２Ａの上端面２ｇと平行又は略平行となる姿勢で一体形成されているとともに、この突起部９の板厚が連結外嵌部２Ａの板厚と同一又は略同一の厚肉に構成されている。
【００４５】
弁蓋４には、弁箱２の連結外嵌部２Ａの上端面２ｇに当接可能な略相似形の板状の弁蓋本体４Ｂと、この弁蓋本体４Ｂの内面から弁箱２の連結外嵌部２Ａの内面寸法よりも少し小なる嵌合寸法で突設された筒状の連結内嵌部２Ａと、弁棒５を水密状態で回転操作自在に貫通支持する軸支承部４Ｃとが備えられているとともに、弁蓋本体４Ｂの外面における軸支承部４Ｃの周囲には、弁体６及び弁棒５を備えた弁蓋４を昇降搬送するための吊下げ用フック４Ｄを備えた一対の円弧状の取付けブラケット４Ｅが一体形成されている。
【００４６】
弁蓋４の連結内嵌部４Ａの外周面の先端側部位及びこれに弁体装着方向で対応する弁箱２の連結外嵌部２Ａの内周面２ａの奥側段差部２ｂには、弁箱２の横向き弁箱部２Ｃの内部流路側ほど径方向内方に位置する同一又は略同一勾配のテーパー面４ａ，２ｆが形成されているとともに、弁蓋４の連結内嵌部４Ａの外周面に形成されたシール装着溝４ｂには、弁箱２の連結外嵌部２Ａに対して弁蓋４の連結内嵌部４Ａが所定嵌合装着位置にまで嵌合操作されたとき、両テーパー面４ａ，２ｆ間を水密にする状態にまで両テーパー面４ａ，２ｆ間で圧縮される環状シール材の一例であるガスケット８が装着されている。
【００４７】
ロック手段７は、平面視において略コの字状に形成された板状のロック部材７Ａと、弁箱２の連結外嵌部２Ａにおける長辺方向で相対向する壁部の各々に貫通形成された外側係合孔（外側被係合部）７Ｂ、及び、弁蓋４の連結内嵌部４Ａにおける長辺方向で相対向する壁部の外側面の各々に形成された内側係合凹部７Ｃ(内側被係合部）とから構成されている。
【００４８】
弁箱２の連結外嵌部２Ａにおける各外側係合孔７Ｂは、ロック部材７Ａが長辺方向の横外方から抜き差し自在に係入する孔寸法に構成されているとともに、弁蓋４の連結内嵌部４Ａにおける各内側係合凹部７Ｃは、弁箱２の連結外嵌部２Ａの各外側係合孔７Ｂに係入操作されたロック部材７Ａの先端側が係合する穴寸法に構成されている。
【００４９】
ロック部材７Ａは、連結外嵌部２Ａ及び連結内嵌部４Ａの短辺方向に沿うセンタロック板部７Ａａと、当該センタロック板部７Ａａの両端部から連結外嵌部２Ａ及び連結内嵌部４Ａの長辺方向に沿って長辺方向中央位置側に一体的に延出されるサイドロック板部７Ａｂとから構成されている。
【００５０】
ロック部材７Ａのセンタロック板部７Ａａの外側面は、ロック部材７Ａが弁箱２の連結外嵌部２Ａにおける外側係合孔７Ｂと弁蓋４の連結内嵌部４Ａにおける内側係合凹部７Ｃとにわたって係合されたロック状態にあるとき、弁箱２の連結外嵌部２Ａの外面と面一又は略面一に構成されている。
【００５１】
そのため、弁箱２の連結外嵌部２Ａの外側係合孔７Ｂから外部に現れるロック部材７Ａの外側面は、連結外嵌部２Ａの短辺方向に沿う部分と長辺方向に沿う部分とを備えた略偏平Ｕの字状又はコの字状に形成されているため、連結外嵌部２Ａの外側係合孔７Ｂから外部に現れるロック部材７Ａの外側面を把持し易くなり、このロック部材７Ａの抜き出し操作を能率良くスムーズに行うことができる。
【００５２】
外側係合孔７Ｂは、ロック部材７Ａのセンタロック板部７Ａａが貫通するセンタ貫通孔部７Ｂａと、ロック部材７Ａの両サイドロック板部７Ａｂが係合するサイド係合溝部７Ｂｂとを連通形成して構成されている。
【００５３】
内側係合凹部７Ｃは、ロック部材７Ａのセンタロック板部７Ａａが係合するセンタ係合溝部７Ｃａと、ロック部材７Ａの両サイドロック板部７Ａｂが係合するサイド係合溝部７Ｃｂとをコの字状に連通形成して構成されている。
【００５４】
そして、図２に示すように、ロック部材７Ａが弁箱２の連結外嵌部２Ａにおける外側係合孔７Ｂと弁蓋４の連結内嵌部４Ａにおける内側係合凹部７Ｃとにわたって係合されたロック状態では、弁蓋４の連結内嵌部４Ａのテーパー面４ａと弁箱２の連結外嵌部２Ａのテーパー面２ｆとの間でガスケット８が水密状態にまで圧縮された状態にあるため、このガスケット８の弾性復元力がロック部材７Ａの抜け出し抵抗（抜き差し抵抗）として作用し、ロック部材７Ａがロック状態に維持される。
【００５５】
ロック状態にあるロック部材７Ａを抜き出すときには、ガスケット８を圧縮する側に弁蓋４を弁箱２側に押し付け、ガスケット８の弾性復元力によるロック部材７Ａの抜け出し抵抗を無くす又は軽減する必要がある。
【００５６】
そのため、ロック状態においても、連結外嵌部２Ａの上端面２ｇと弁蓋４の弁蓋本体４Ｂの下面との間には、ガスケット８の弾性復元力によるロック部材７Ａの抜け出し抵抗を無くす又は軽減する側であるガスケット８の圧縮側への弁蓋４の押し付け移動を許容する間隙が形成されている。
【００５７】
次に、水道配管系の上流側及び下流側の水道管１に接続された仕切弁Ｖ１のうち、弁箱２に比して寿命の短い弁体６が設定耐久年数に至ったとき、或いは、弁体６の作動不良が発生したときなど、弁体６及び弁棒５を備えた弁蓋４を不断水状態で弁箱２から撤去する弁蓋撤去工法について説明する。
【００５８】
[１]  図４〜図６は、弁箱２の連結外嵌部２Ａに一体形成されている環状の突起部９に、ロック部材７Ａの抜き差し操作を許容する状態で環状の取付け基材Ｂの取付けベース部Ｂ１を水密状態で取付けるベース部取付け工程を示す。
【００５９】
取付け基材Ｂ自体は、弁箱２におけるロック部材７Ａの抜き差し操作位置よりも下方側部位に水密状態で取付けられる取付けベース部Ｂ１と、当該取付けベース部Ｂ１に水密状態で取付けられる少なくとも弁蓋４の一部を囲繞する環状取付け枠Ｂ２とから構成されている。
【００６０】
また、取付けベース部Ｂ１は、突起部９の下方側から当て付けられる分割構造の下側ベース部材１５と、突起部９の上方側から当て付けられる円板状の上側ベース部材１６と、この両ベース部材１５、１６を互いに引き寄せながら締め付けて突起部９に挾持固定する第２締結手段１７とから構成されている。
【００６１】
さらに、下側ベース部材１５は、弁箱２の連結外嵌部２Ａの短辺方向中央位置で二分割された平面視略コの字状又はＣの字状の分割下側板部１５Ａと、各分割下側板部１５Ａの両端部から下方側に突設された連結板部１５Ｂと、この両連結板部１５Ｂと分割下側板部１５Ａとに亘って連設される補強板部１５Ｃとから構成されている。
【００６２】
下側ベース部材１５の各分割下側板部１５Ａの上面には、図４に示すように、突起部９における一方の長辺部分と両短辺部分の半分とに及ぶ略扁平Ｕ字状の半領域に嵌合する嵌合凹部１５Ｄが形成され、この嵌合凹部１５Ｄの底面１５ｄ及びこれに連続する略扁平Ｕ字状の側面１５ａが突起部９の下面及び周面に当接した状態では、両分割下側板部１５Ａと突起部９との水平方向での相対移動を阻止するように構成されている。
【００６３】
また、下側ベース部材１５の各分割下側板部１５Ａの略扁平Ｕ字状の内周面１５ｂは、弁箱２の縦向き弁箱部２Ｄの外周面に沿って当接又は近接するように構成されている。
【００６４】
上側ベース部材１６の中央部には、弁箱２の連結外嵌部２Ａに上方から外嵌装着可能な略長方形状(隅丸長方形状)の装着孔１６Ａが貫通形成されているとともに、上側ベース部材１６の下面で、且つ、下側ベース部材１５の各分割下側板部１５Ａに形成されている複数の第１ボルト挿通孔１５ｅに対応する部位には、図８に示すように、各第１ボルト挿通孔１５ｅに下方から挿通された第２締結手段１７のボルト１７Ａに対するネジ孔１７Ｂが形成されている。
【００６５】
さらに、図８に示すように、上側ベース部材１６の下面で、且つ、突起部９の上面に対応する部位に形成されたシール装着溝１６ａには、第２締結手段１７のボルト１７Ａによる締付け固定操作によって上側ベース部材１６の下面と突起部９の上面との間を水密状態にするシール材の一例であるＯリング１９が装着されている。
【００６６】
そして、このベース部取付け工程においては、図４に示すように、弁箱２の連結外嵌部２Ａに一体形成されている環状の突起部９に対して、下側ベース部材１５の両分割下側板部１５Ａを突起部９の短辺方向（水道管１の管軸芯方向）から装着操作し、各分割下側板部１５Ａの嵌合凹部１５Ｄの底面１５ｄ及び略扁平Ｕ字状の側面１５ａを突起部９の下面及び周面に当接させる。
【００６７】
この状態で相対向する両分割下側板部１５Ａの連結板部１５Ｂ同士を、当該連結板部１５Ｂに形成されている第２ボルト挿通孔１５ｆに挿通された第３締結手段１８のボルト１８Ａ・ナット１８Ｂにて締め付け固定したのち、弁箱２の連結外嵌部２Ａに上側ベース部材１６の装着孔１６Ａを外嵌装着し、下側ベース部材１５の第１ボルト挿通孔１５ｅに下方から挿入されたボルト１７Ａを上側ベース部材１６のネジ孔１７Ｂに螺合し、上側ベース部材１６と下側ベース部材１５とを突起部９に挾持状態で締付け固定する。
【００６８】
[２]  図７、図９、図１０は、この取付け基材Ｂの取付けベース部Ｂ１に設けた押え手段Ｃの第１押え治具Ｃ１によって、弁蓋４に脱着自在に装着された押え部材２１を介して弁蓋４を弁箱２に対して押付けることにより、当該弁蓋４の連結内嵌部４Ａと弁箱２の連結外嵌部２Ａとの間に設けたガスケット８を水密状態に維持する第１押え工程と、ガスケット８の弾性復元力による抜け出し抵抗が解消されている又は軽減されている状態でロック手段７のロック部材７Ａを抜き出して、弁箱２の連結外嵌部２Ａと弁蓋４の連結内嵌部４Ａとの固定連結を解除するロック解除工程とを示す。
【００６９】
尚、図８〜図１０、図１２においては、図１〜図７で表された形状の一部を簡略化して表現している。
【００７０】
また、押え手段Ｃによる弁蓋押付け工程は、環状取付け枠Ｂ２の取付け前において、取付けベース部Ｂ１における環状取付け枠Ｂ２の内部空間相当領域に設けた第１押え治具Ｃ１で弁蓋４を弁箱２側に押付け固定する第１押え工程と、環状取付け枠Ｂ２の取付け後において、当該環状取付け枠Ｂ２に設けた外部から操作可能な第２押え治具Ｃ２で弁蓋４を弁箱２側に押付け固定する第２押え工程とから構成されている。
【００７１】
弁蓋押付け工程で用いられる押え部材２１は、上側ベース部材１６の装着孔１６Ａから上方に突出する弁蓋４の一対の取付けブラケット４Ｅの上面と平行な水平姿勢で安定的に装着可能な円板状に構成され、この押え部材２１の円周方向の４箇所には、弁蓋４の各吊下げ用フック４Ｄに対して下方側から当て付けられた略コの字状の当て部材２２の両端部をボルト２３で締付け固定するための第３ボルト挿通孔２１ａが形成されている。
【００７２】
押え部材２１の下面には、各吊下げ用フック４Ｄの上面に当接する当り突起２１ｂが形成されているとともに、各当て部材２２の両端部にはボルト２３に対するネジ孔２２ａが形成されている。
【００７３】
押え部材２１の中心部には、弁棒５の回転操作部５ａが突出する貫通孔２１ｃが形成され、押え部材２１の上面における貫通孔２１ｃの周縁部には、弁体６及び弁棒５を備えた弁蓋４等を昇降搬送する昇降搬送手段Ｄ側の連結部５１に着脱自在に連結される被連結部２１Ｄが形成されている。
【００７４】
昇降搬送手段Ｄ側の連結部５１は内周に雌ネジを形成してある連結筒部に構成されているとともに、押え部材２１の被連結部２１ｄは外周に雄ネジを形成してある被連結筒部に構成されている。
【００７５】
また、押え手段Ｃの第１押え治具Ｃ１を構成するに、図７、図１０(ｂ)に示すように、上側ベース部材１６の上面における装着孔１６Ａの長辺方向中央部の両側脇に、雌ネジを形成してある一対の第１ネジ筒２５を固着し、この両第１ネジ筒２５に、押え部材２１の円周方向の２箇所に形成された第４ボルト挿通孔２１ｅに挿通されるボルト２６を緩み止めナット２７で螺合固定するとともに、各ボルト２６の上部には、押え部材２１の上面に当接した状態での締め込み操作に伴って弁蓋４を弁箱２側に押付け固定する押込みナット２８が螺合されている。
【００７６】
この第１押え治具Ｃ１のナット２８による弁蓋４の最大押付け移動代は、図２に示すように、ロック部材７Ａが弁箱２の連結外嵌部２Ａにおける外側係合孔７Ｂと弁蓋４の連結内嵌部４Ａにおける内側係合凹部７Ｃとにわたって係合されたロック状態において、連結外嵌部２Ａの上端面２ｇと弁蓋４の弁蓋本体４Ｂの下面との間に形成されているガスケット８を圧縮可能な間隙の寸法に設定されている。
【００７７】
第１押え治具Ｃ１の押込みナット２８による締め込み操作によって、弁蓋４の連結内嵌部４Ａのテーパー面４ａと弁箱２の連結外嵌部２Ａのテーパー面２ｆとの間でガスケット８が圧縮された状態では、ロック部材７Ａに作用していたガスケット８の弾性復元力による抜き差し抵抗を解消又は軽減することができる。
【００７８】
しかも、このとき、図１０（ａ）に示すように、弁箱２の連結外嵌部２Ａにおける外側係合孔７Ｂの下端縁は、上側ベース部材１６の上面と面一又はそれよりも上方に位置し、且つ、弁箱２の連結外嵌部２Ａの外側係合孔７Ｂから外部に現れるロック部材７Ａの外側面が、連結外嵌部２Ａの短辺方向に沿う部分と長辺方向に沿う部分とを備えた偏平Ｕの字状又はコの字状の把持し易い形状に形成されているため、ロック部材７Ａを軽い操作力で確実、スムーズに抜き出すことができる。
【００７９】
[３]  図１１、図１２は、取付け基材Ｂの取付けベース部Ｂ１の上側ベース部材１６に、弁蓋４の全周を囲繞可能な高さ、つまり、上側ベース部材１６の上面から弁棒５の回転操作部５ａの上端までの高さよりも大なる高さを備えた円筒状の環状取付け枠Ｂ２を水密状態で取り付ける工程と、この環状取付け枠Ｂ２の取付け後において、当該環状取付け枠Ｂ２に設けた外部から操作可能な押え手段Ｃの第２押え治具Ｃ２で弁蓋４を弁箱２側に押付け固定する第２押え工程と、この第２押え治具Ｃ２による押付け固定終了後において、第１押え治具Ｃ１のナット２８による押付け固定を解除する工程とを示す。
【００８０】
このように第１押え治具Ｃ１から第２押え治具Ｃ２に移行するものの、押え手段Ｃによる弁蓋４の押付け固定は継続して行われる。
【００８１】
環状取付け枠Ｂ２を構成する円筒ケース体３０の下端部に形成された連結フランジ３１には、上側ベース部材１６に形成された第５ボルト挿通孔１６ｂに対応する部位に第６ボルト挿通孔３１ａが形成されているとともに、連結フランジ３１の下面に形成されたシール装着溝３１ｂには、第５・第６ボルト挿通孔１６ｂ，３１ａに挿通された第４締結手段３２のボルト３２Ａ．ナット３２Ｂによる締付け固定操作によって上側ベース部材１６の上面と連結フランジ３１の下面との間を水密状態にするシール材の一例であるＯリング３３が装着されている。
【００８２】
押え手段Ｃの第２押え治具Ｃ２は、円筒ケース体３０の周方向複数箇所(当該実施形態では４箇所)に、円筒ケース体３０の内部空間に連通するネジ筒３５を、それのネジ軸芯が押え部材２１の上面又はその近傍を通る水平軸芯上に位置する状態で固着し、各ネジ筒３５には、押え部材２１の上面の外周縁部に形成されたテーパー面２１ｆに水平方向から当接するテーパー状押え面３６ａを備えた押込みボルト３６を螺合することにより構成されている。
【００８３】
そして、第２押え治具Ｃ２の複数本の押込みボルト３６の締め込み操作によって弁蓋４を弁箱２側に押付け固定した状態では、第１押え治具Ｃ１のナット２８による押付け力を解除しても、弁蓋４の連結内嵌部４Ａのテーパー面４ａと弁箱２の連結外嵌部２Ａのテーパー面２ｆとの間に介装されているガスケット８が圧縮された水密状態に維持される。
【００８４】
そのため、第２押え治具Ｃ２による押付け固定終了後において、第１押え治具Ｃ１のナット２８による押付け固定を円筒ケース体３０の上部開口から解除操作する。
【００８５】
[４]  図１３は、取付け基材Ｂの環状取付け枠Ｂ２に、作業用開閉弁Ｖ２及び弁蓋４に連結される昇降搬送手段Ｄを備えた作業ハウジングＨを水密状態で取付けるハウジング取付け工程を示す。
【００８６】
作業用開閉弁Ｖ２の弁ケース４０のうち、環状取付け枠Ｂ２の円筒ケース体３０に上方から外嵌状態で装着される嵌合装着筒部４０Ａの内面には、円筒ケース体３０の上端面に上方から当接する嵌合位置規制用環状突起４０ａが一体形成されているとともに、弁ケース４０の嵌合装着筒部４０Ａの周方向複数箇所には、図１２に示すように、円筒ケース体３０の外周面の上端部に突出形成された環状突起３０ａの下側テーパー面３０ｂに対して水平方向から当接するテーパー状押え面４１ａを備えた引き寄せボルト４１が螺合されている。
【００８７】
また、弁ケース４０における嵌合装着筒部４０Ａの内面と嵌合位置規制用環状突起４０ａとで形成される入隅部と円筒ケース体３０の環状突起３０ａの上側テーパー面３０ｃとの対向面間には、シール材の一例であるＯリング（図示せず）を装着して、引き寄せボルト４１の締付け操作により、Ｏリングを水密状態に圧縮しながら弁ケース４０の嵌合位置規制用環状突起４０ａを環状取付け枠Ｂ２の円筒ケース体３０の上端面に引き寄せ固定するように構成されている。
【００８８】
作業ハウジングＨは、弁ケース４０の上側連結フランジ４０Ｂに第５締結手段４２のボルト４２Ａ・ナット４２Ｂで水密状態に固定連結される下側連結フランジ４３Ａを備えた作業ハウジング本体４３と、この作業ハウジング本体４３の上側フランジ４３Ｂに第６締結手段４４のボルト４４Ａ・ナット４４Ｂで水密状態に固定連結される天蓋４５とから構成されている。
【００８９】
作業ハウジング本体４３内には、弁体６及び弁棒５を備えた弁蓋４を収納可能な格納空間Ｓが形成されている。
【００９０】
昇降搬送手段Ｄを構成するに、作業ハウジングＨの天蓋４５の中心部に設けた筒状の軸支承部５０には、昇降軸５２が上下方向に摺動自在に貫通支持され、この昇降軸５２の下端部には、押え部材２１の被連結部２１ｄに着脱可能な状態で螺合連結される連結部５１が設けられているとともに、昇降軸５２の上端部には、弁体６及び弁棒５を備えた弁蓋４を作業ハウジング本体４３の格納空間Ｓ内にクレーン等で上昇移動させたり、或いは、弁蓋４を収納してある作業ハウジング本体４３を所定個所にクレーン等で吊下げ搬送するための吊り環５３が設けられている。
【００９１】
また、昇降軸５２の上側部にナット５４で締付け固定されている昇降作動杆５５の両端部とこれに上下方向で相対向する状態で軸支承部５０の上端部に形成された取付け板部５６の両端部との間には、弁蓋４の撤去後において別の弁蓋４や新たな蓋体６０などを弁箱２に取付けるべく、作業ハウジング本体４３の格納空間Ｓ内の所定格納位置にある別の弁蓋４や新たな蓋体６０などを水圧に抗して下降させるネジ式の強制送り込み機構５７が設けられている。
【００９２】
このネジ式の強制送り込み機構５７は、軸支承部５０の取付け板部５６の両端部に一対のナット５７Ａで締付け固定される長尺ボルト５７Ｂと、昇降作動杆５５の両端部の上面に当接する状態で各長尺ボルト５７Ｂに螺合される送込みナット５７Ｃとから構成されている。
【００９３】
このハウジング取付け工程では、第２押え治具Ｃ２の複数本の押込みボルト３６の締め込み操作によって弁蓋４を弁箱２側に押付け固定した状態にある。
【００９４】
尚、図１３に示すように、ネジ式の強制送り込み機構５７の送込みナット５７Ｃの締め込みを利用して、弁蓋４を弁箱２側に押付け固定することも可能である。
【００９５】
[５]  図１４は、押え手段Ｃの第２押え治具Ｃ２による押付け固定を解除し、昇降搬送手段Ｄにて弁蓋４を作業ハウジングＨの格納空間Ｓ内に取り出したのち、前記作業用開閉弁Ｖ２を閉弁操作する工程を示す。
【００９６】
具体的には、第２押え治具Ｃ２の複数本の押込みボルト３６を緩み操作して、各押込みボルト３６のテーパー状押え面３６ａを押え部材２１の上面の外周縁部に形成されたテーパー面２１ｆから径方向外方側に離脱させる。
【００９７】
その後、弁箱２に嵌合装着されている弁蓋４を昇降搬送手段Ｄの昇降軸５２に連結されているクレーン等で作業ハウジング本体４３の格納空間Ｓ内の所定格納位置に上昇移動させた後、作業用開閉弁Ｖ２の弁体３９を閉弁操作する。
【００９８】
[６]  図１５は、作業ハウジングＨの格納空間Ｓ内に取り出された弁蓋４を撤去する工程を示す。
この撤去工程では、弁ケース４０の上側連結フランジ４０Ｂと作業ハウジング本体４３の下側連結フランジ４３Ａとを固定連結している第５締結手段４２のボルト４２Ａ・ナット４２Ｂを撤去し、取り外された弁蓋４及び昇降搬送手段Ｄを備えた作業ハウジング本体４３をクレーン等で所定位置に吊下げ搬送して撤去する。
【００９９】
[７]  弁蓋４の撤去工程後に、少なくとも新たな弁体６が装備された別の弁蓋４を取付ける場合には、上述の撤去作業工程と略逆の手順を取ることになる。
すなわち、弁蓋４の撤去工程後においては、
作業ハウジングＨに設けた昇降搬送手段Ｄの昇降軸５２の連結部５１に、少なくとも新たな弁体６が装備された別の弁蓋４の被連結部２１ｄを連結する工程と、
作業ハウジングＨの作業ハウジング本体４３の下側連結フランジ４３Ａと作業用開閉弁Ｖ２の弁ケース４０の上側連結フランジ４０Ｂとを第５締結手段４２のボルト４２Ａ・ナット４２Ｂで水密状態に固定連結する工程と、
作業用開閉弁Ｖ２の弁体３９を開弁操作したのち、ネジ式の強制送り込み機構５７の送込みナット５７Ｃを締め込み操作して、作業ハウジングＨの格納空間Ｓ内にある別の弁蓋４を昇降軸５２と一体に弁箱２側に下降し、別の弁蓋４の連結内嵌部４Ａを弁箱２の連結外嵌部２Ａに嵌合接続する工程と、
押え手段Ｃの第２押え治具Ｃ２で別の弁蓋４を弁箱２側に押付け固定する工程と、
昇降軸５２を螺合解除側に回転操作して当該昇降軸５２の連結部５１と別の弁蓋４の被連結部２１ｄとの連結を解除したのち、環状取付け枠Ｂ２の円筒ケース体３０と作業用開閉弁Ｖ２の弁ケース４０とを固定連結している引き寄せボルト４１を固定解除操作し、環状取付け枠Ｂ２の円筒ケース体３０から作業用開閉弁Ｖ２及び昇降搬送手段Ｄを備えた作業ハウジングＨを撤去する工程と、
嵌合接続された別の弁蓋４の連結内嵌部４Ａと弁箱２の連結外嵌部２Ａとをロック手段７のロック部材７Ａで固定連結する工程と、
第２押え治具Ｃ２の押込みボルト３６による別の弁蓋４の押付けを解除し、環状取付け枠Ｂ２の円筒ケース体３０の連結フランジ３１と取付けベース部Ｂ１の上側ベース部材１６とを固定連結している第４締結手段３２を固定解除操作し、環状取付け枠Ｂ２を取付けベース部Ｂ１から撤去する工程と、
別の弁蓋４の各吊下げ用フック４Ｄに挾持する状態で押え部材２１と当て部材２２とを固定連結しているボルト２３を固定解除操作し、別の弁蓋４から押え部材２１及び当て部材２２を撤去する工程と、
取付けベース部Ｂ１の上側ベース部材１６と下側ベース部材１５とを固定連結している第２締結手段１７のボルト１７Ａを固定解除操作し、弁箱２の突起部９から上側ベース部材１６及び下側ベース部材１５を撤去する工程と、
を実行する。
【０１００】
この第１実施形態では、少なくとも新たな弁体６が装備された別の弁蓋４の連結内嵌部４Ａを弁箱２の連結外嵌部２Ａに嵌合接続して、ロック手段７のロック部材７Ａの差し込み操作で別の弁蓋４の連結内嵌部４Ａと弁箱２の連結外嵌部２Ａとを固定連結することにより、設定耐久年数に至った弁体６、或いは、作動不良が発生した弁体６等を備えていた仕切弁Ｖ１を工事費の低減化を図りながら能率良く更生することができる。
【０１０１】
尚、作業ハウジングＨの昇降搬送手段Ｄに連結されている別の弁蓋４を下降操作し、それの連結内嵌部４Ａを弁箱２の連結外嵌部２Ａに嵌合接続した以降においては、上述の第１実施形態での撤去作業工程を逆の手順で実行して、嵌合接続されている別の弁蓋４の連結内嵌部４Ａと弁箱２の連結外嵌部２Ａとにわたってロック手段７のロック部材７Ａを差し込み操作してもよいが、昇降搬送手段Ｄで別の弁蓋４を弁箱２に水密状態に押付け固定することができ、且つ、取付け基材Ｂに、それの外部側からロック部材７Ａを差し込み操作することのできる作業窓や作業アーム等が装備されている場合には、上述の第１特徴構成での工程を逆の手順で実行することなく、昇降搬送手段Ｄで別の弁蓋４を弁箱２に水密状態に押付け固定した時点で、嵌合接続されている別の弁蓋４の連結内嵌部４Ａと弁箱２の連結外嵌部２Ａとをロック部材７Ａで固定連結してもよい。
【０１０２】
〔第２実施形態〕
上述の第１実施形態では、少なくとも新たな弁体６が装備された別の弁蓋４を弁箱２に取付けたが、図１６に示すように、別の弁蓋４に代えて、弁箱２の弁体装着口部３を水密状態で閉止する蓋体６０を取付けてもよい。
【０１０３】
この第２実施形態では、第１実施形態の弁蓋４の撤去工程後において、
作業ハウジングＨに設けた昇降搬送手段Ｄの昇降軸５２の連結部に、中心部の筒状部６０ａにプラグ６１を装着してある蓋体６０の被連結部を連結する工程と、
作業ハウジングＨにおける作業ハウジング本体４３の下側連結フランジ４３Ａと作業用開閉弁Ｖ２における弁ケース４０の上側連結フランジ４０Ｂとを第５締結手段４２のボルト４２Ａ・ナット４２Ｂで水密状態に固定連結する工程と、
作業用開閉弁Ｖ２の弁体３９を開弁操作したのち、ネジ式の強制送り込み機構５７の送込みナット５７Ｃを締め込み操作して、作業ハウジングＨの格納空間Ｓ内にある蓋体６０を昇降軸５２と一体的に弁箱２側に下降し、蓋体６０の連結内嵌部６０Ａを弁箱２の連結外嵌部２Ａに嵌合接続する工程と、
押え手段Ｃの第２押え治具Ｃ２で蓋体６０を弁箱２側に押付け固定する工程と、
昇降軸５２の連結部と蓋体６０の被連結部との連結を解除したのち、環状取付け枠Ｂ２の円筒ケース体３０と作業用開閉弁Ｖ２の弁ケース４０とを固定連結している引き寄せボルト４１を固定解除操作し、環状取付け枠Ｂ２の円筒ケース体３０から作業用開閉弁Ｖ２及び昇降搬送手段Ｄを備えた作業ハウジングＨを撤去する工程と、
嵌合接続された蓋体６０の連結内嵌部６０Ａと弁箱２の連結外嵌部２Ａとをロック手段７のロック部材７Ａで固定連結する工程と、
第２押え治具Ｃ２の押込みボルト３６による蓋体６０の押付けを解除し、環状取付け枠Ｂ２の円筒ケース体３０の連結フランジ３１と取付けベース部Ｂ１の上側ベース部材１６とを固定連結している第４締結手段３２を固定解除操作し、環状取付け枠Ｂ２を取付けベース部Ｂ１から撤去する工程と、
取付けベース部Ｂ１の上側ベース部材１６と下側ベース部材１５とを固定連結している第２締結手段１７のボルト１７Ａを固定解除操作し、弁箱２の突起部９から上側ベース部材１６及び下側ベース部材１５を撤去する工程と、
を実行する。
【０１０４】
また、蓋体６０の連結内嵌部６０Ａの外周面に形成されたシール装着溝には、弁箱２の連結外嵌部２Ａに対して蓋体６０の連結内嵌部６０Ａが所定嵌合装着位置にまで嵌合操作されたとき、両テーパー面６０ｂ，２ｆ間を水密にする状態にまで両テーパー面６０ｂ，２ｆ間で圧縮される環状シール材の一例であるガスケット８が装着されている。
【０１０５】
尚、その他の構成は、第１実施形態で説明した構成と同一であるから、同一の構成箇所には、第１実施形態と同一の番号を付記してそれの説明は省略する。
【０１０６】
また、作業ハウジングＨの昇降搬送手段Ｄに連結されている蓋体６０の連結内嵌部６０Ａを下降操作して弁箱２の連結外嵌部２Ａに嵌合接続した以降においては、上述の第１実施形態での工程を略逆の順序で実行して、嵌合接続されている蓋体６０の連結内嵌部６０Ａと弁箱２の連結外嵌部２Ａとにわたってロック手段７のロック部材７Ａを差し込み操作してもよいが、昇降搬送手段Ｄで蓋体６０を弁箱２に水密状態に押付け固定することができ、且つ、取付け基材Ｂに、それの外部側からロック部材７Ａを差し込み操作することのできる作業窓や作業アーム等が装備されている場合には、上述の第１特徴構成での工程を逆の略順序で実行することなく、昇降搬送手段Ｄで蓋体６０を弁箱２に水密状態に押付け固定した時点で、嵌合接続されている蓋体６０の連結内嵌部６０Ａと弁箱２の連結外嵌部２Ａとをロック部材７Ａで固定連結してもよい。
【０１０７】
〔第３実施形態〕
上述の第１実施形態では、少なくとも新たな弁体６が装備された別の弁蓋４を弁箱２に取付けたが、図１7に示すように、別の弁蓋４に代えて、補修弁Ｖ３と、弁箱２の連結外嵌部２Ａに嵌合接続可能な連結内嵌部６６Ｂを備えた弁取付け部材６６との組み物Ｅを取付けてもよい。
【０１０８】
この組み物Ｅは、補修弁Ｖ３の弁ケース６５の下側連結フランジ６５Ａと弁取付け部材６６の連結フランジ６６Ａとを図外の締結手段のボルト・ナットにて水密状態で固定連結されている。
【０１０９】
この第３実施形態では、第１実施形態の弁蓋４の撤去工程後において、
作業ハウジングＨに設けた昇降搬送手段Ｄの昇降軸５２の連結部に、組み物Ｅの補修弁Ｖ３に設けられる被連結部を連結する工程と、
作業ハウジングＨにおける作業ハウジング本体４３の下側連結フランジ４３Ａと作業用開閉弁Ｖ２における弁ケース４０の上側連結フランジ４０Ｂとを第５締結手段４２のボルト４２Ａ・ナット４２Ｂで水密状態に固定連結する工程と、
作業用開閉弁Ｖ２の弁体３９を開弁操作したのち、ネジ式の強制送り込み機構５７の送込みナット５７Ｃを締め込み操作して、作業ハウジングＨの格納空間Ｓ内にある組み物Ｅを昇降軸５２と一体的に弁箱２側に下降し、弁取付け部材６６の連結内嵌部６６Ｂを弁箱２の連結外嵌部２Ａに嵌合接続する工程と、
押え手段Ｃの第２押え治具Ｃ２で弁取付け部材６６を弁箱２側に押付け固定する工程と、
昇降軸５２の連結部と組み物Ｅの被連結部との連結を解除したのち、環状取付け枠Ｂ２の円筒ケース体３０と作業用開閉弁Ｖ２の弁ケース４０とを固定連結している引き寄せボルト４１を固定解除操作し、環状取付け枠Ｂ２の円筒ケース体３０から作業用開閉弁Ｖ２及び昇降搬送手段Ｄを備えた作業ハウジングＨを撤去する工程と、
嵌合接続された弁取付け部材６６の連結内嵌部６６Ｂと弁箱２の連結外嵌部２Ａとをロック手段７のロック部材７Ａで固定連結する工程と、
第２押え治具Ｃ２の押込みボルト３６による弁取付け部材６６の押付けを解除し、環状取付け枠Ｂ２の円筒ケース体３０の連結フランジ３１と取付けベース部Ｂ１の上側ベース部材１６とを固定連結している第４締結手段３２を固定解除操作し、環状取付け枠Ｂ２を取付けベース部Ｂ１から撤去する工程と、
取付けベース部Ｂ１の上側ベース部材１６と下側ベース部材１５とを固定連結している第２締結手段１７のボルト１７Ａを固定解除操作し、弁箱２の突起部９から上側ベース部材１６及び下側ベース部材１５を撤去する工程と、
を実行する。
【０１１０】
また、弁取付け部材６６の連結内嵌部６６Ｂの外周面に形成されたシール装着溝には、弁箱２の連結外嵌部２Ａに対して弁取付け部材６６の連結内嵌部６６Ｂが所定嵌合装着位置にまで嵌合操作されたとき、両テーパー面６６ａ，２ｆ間を水密にする状態にまで両テーパー面６６ａ，２ｆ間で圧縮される環状シール材の一例であるガスケット８が装着されている。
【０１１１】
尚、その他の構成は、第１実施形態で説明した構成と同一であるから、同一の構成箇所には、第１実施形態と同一の番号を付記してそれの説明は省略する。
【０１１２】
また、作業ハウジングＨの昇降搬送手段Ｄに連結されている補修弁Ｖ３と弁取付け部材６６との組み物Ｅを下降操作して、弁取付け部材６６の連結内嵌部６６Ｂを弁箱２の連結外嵌部２Ａに嵌合接続した以降においては、上述の第１特徴構成での工程を略逆の順序で実行して、嵌合接続されている弁取付け部材６６の連結内嵌部６６Ｂと弁箱２の連結外嵌部２Ａとにわたってロック手段７のロック部材７Ａを差し込み操作してもよいが、昇降搬送手段Ｄで弁取付け部材６６を弁箱２に水密状態に押付け固定することができ、且つ、取付け基材Ｂに、それの外部側からロック部材７Ａを差し込み操作することのできる作業窓や作業アーム等が装備されている場合には、上述の第１特徴構成での工程を略逆の順序で実行することなく、昇降搬送手段Ｄで弁取付け部材６６を弁箱２に水密状態に押付け固定した時点で、嵌合接続されている弁取付け部材６６の連結内嵌部６６Ｂと弁箱２の連結外嵌部２Ａとをロック部材７Ａで固定連結するように構成してもよい。
【０１１３】
〔その他の実施形態〕
（１）上述の実施形態では、弁箱２の連結外嵌部２Ａの外周面におけるロック部材７Ａの抜き差し操作位置よりも下方側に偏倚した下端部位に、環状の取付け基材Ｂを挾持状態で取付け可能な環状の突起部９を一体形成したが、この突起部９を弁箱２の連結外嵌部２Ａの周方向で断続的に形成してもよい。
【０１１４】
（２）上述の実施形態では、前記ロック手段７を、板状のロック部材７Ａと、弁箱２の連結外嵌部２Ａに形成された外側係合孔、及び、弁蓋４の連結内嵌部４Ａに形成された内側係合凹部７Ｃとから構成したが、この構造に限定されるものではなく、弁箱２の連結外嵌部２Ａに形成された外側被係合部と弁蓋４の連結内嵌部４Ａに形成された内側被係合部とに対してロック部材７Ａを抜き差し操作できるものであれば、いかなる構造に構成してもよい。
【０１１５】
（３）上述の実施形態では、前記ロック部材７Ａの抜き差し操作を許容する状態で弁箱２に取付けられる環状の取付け基材Ｂを、弁箱２におけるロック部材７Ａの抜き差し操作位置よりも下方側部位に水密状態で取付けられる取付けベース部Ｂ１と、当該取付けベース部Ｂ１に水密状態で取付けられる少なくとも弁蓋４の一部を囲繞する環状取付け枠Ｂ２とに別体構成したが、この取付けベース部Ｂ１と環状取付け枠Ｂ２とを一体的に構成してもよい。
【０１１６】
（４）上述の実施形態では、前記弁蓋４を弁箱２に押付ける押え手段Ｃを、取付けベース部Ｂ１における環状取付け枠Ｂ２の内部空間相当領域に設けた第１押え治具Ｃ１と、環状取付け枠Ｂ２に設けた外部から操作可能な第２押え治具Ｃ２とから構成したが、一つの押え冶具から構成してもよい。
【０１１７】
（５）上述の実施形態では、上流側及び下流側の水道管１に対する連結フランジ２Ｂを備えたフランジ接合タイプの仕切弁Ｖ１を例に挙げて説明したが、少なくとも一端部側が受口又は挿口に構成されている仕切弁Ｖ１であってもよい。
【０１１８】
（６）前記弁箱２と弁蓋４との嵌合連結部Ａの形態、取付け基材Ｂの形態、押さ手段Ｃの形態、ハウジングＨの形態、昇降搬送手段Ｄの形態、作業用開閉弁Ｖ２の形態の各々は各種条件に応じて適宜変更可能である。
【産業上の利用可能性】
【０１１９】
以上説明したように、弁体及び弁棒を備えた弁蓋の不断水状態での撤去作業を工事コストの低廉化を図りながら能率良く容易に行うことのできる仕切弁の弁蓋撤去工法、及び、その撤去作業の能率化、容易化に貢献する仕切弁を提供することができる。
【符号の説明】
【０１２０】
Ａ        嵌合連結部
Ｂ        取付け基材
Ｂ１      取付けベース部
Ｂ２      環状取付け枠
Ｃ        押さ手段
Ｃ１      第１押え治具
Ｃ２      第２押え治具
Ｄ        昇降搬送手段
Ｅ        組み物
Ｈ        作業ハウジング
Ｓ        格納空間
Ｖ１      仕切弁
Ｖ２      作業用開閉弁
Ｖ３      補修弁
２        弁箱
２Ａ      連結外嵌部
３        弁体装着口部
４        弁蓋
４Ａ      連結内嵌部
５        弁棒
６        弁体
７        ロック手段
７Ａ      ロック部材
９        突起部
２１      押え部材
６０      蓋体
６０Ａ    連結内嵌部
６６      弁取付け部材
６６Ａ    連結内嵌部
【図１】
2014029194.tif 000003
【図２】
2014029194.tif 000004
【図３】
2014029194.tif 000005
【図４】
2014029194.tif 000006
【図５】
2014029194.tif 000007
【図６】
2014029194.tif 000008
【図７】
2014029194.tif 000009
【図８】
2014029194.tif 000010
【図９】
2014029194.tif 000011
【図１０】
2014029194.tif 000012
【図１１】
2014029194.tif 000013
【図１２】
2014029194.tif 000014
【図１３】
2014029194.tif 000015
【図１４】
2014029194.tif 000016
【図１５】
2014029194.tif 000017
【図１６】
2014029194.tif 000018
【図１７】
2014029194.tif 000019